(57)【要約】  釣り用ラインに取り付けて水をせん断することができるデバイスであって、釣り用ラインに沿って気泡の軌跡を生成する。当該デバイスは、リーダラインの最初に搭載されることが好ましく、トローリングスピードで水中を牽引されて水のせん断を生じる。当該デバイスは、少なくとも１つのアパーチャを有するハウジングから形成されている。当該アパーチャは、トローリングスピードにおいて、アパーチャを通り抜ける際に水が圧縮されて気体状態の気泡を生成する蒸気圧を下回る静圧を生じるように構成及び配置されている。当該水は、当該気泡は釣り用ラインを隠す際に有効である。
2017515463.tif 000002
【特許請求の範囲】
【請求項１】
釣り用ラインを隠すデバイスであって、
リリース自在に釣り用ラインに取り付けられたハウジングを有し、前記ハウジングは連続した側面によって背面から隔てられた前面を含み、前記前面から前記背面に伸びて中央に設けられ、釣り用ラインを収容する大きさで形成された通路と、前記前面に設けられ前記背面に設けられた出口開口部と流体連結された入口開口部を含む少なくとも１つのアパーチャと、を有し、前記アパーチャの各々は、水が前記入口を通り抜けて前記出口から出ると気体状態の気泡を発生させる蒸気圧に達するように構成及び配置され、釣り用ラインは前記通路を通る挿入によって前記ハウジングに取り付けられ、前記ハウジングはトローリングスピードで水中を牽引され、水は前記アパーチャに強制的に通されて気泡を生成し、当該気泡は釣り用ラインの一部を隠すことに用いられることを特徴とするデバイス。
【請求項２】
請求項１に記載の釣り用ラインを隠すデバイスであって、前記ハウジングの側壁は実質的に円筒形であり、前記前面はコニカル形状であることを特徴とするデバイス。
【請求項３】
請求項１に記載の釣り用ラインを隠すデバイスであって、前記通路は釣り用ラインと等しいか又は釣り用ラインよりも大なる直径を有することを特徴とするデバイス。
【請求項４】
請求項１に記載の釣り用ラインを隠すデバイスであって、前記入口開口部は前記通路からの第１の距離に配置され、前記出口開口部は前記通路からの第２の距離に設けられ、前記第１の距離は前記第２の距離と等しく、前記通路に平行であることを特徴とするデバイス。
【請求項５】
請求項１に記載の釣り用ラインを隠すデバイスであって、前記入口開口部は前記通路からの第１の距離に配置され、前記出口開口部は前記通路からの第２の距離に設けられ、前記第１の距離は前記第２の距離と等しくないことを特徴とするデバイス。
【請求項６】
請求項１に記載の釣り用ラインを隠すデバイスであって、少なくとも１つの出口開口部が前記通路と並列に設けられ、気泡が当該釣り用ラインに係合することを特徴とするデバイス。
【請求項７】
請求項１に記載の釣り用ラインを隠すデバイスであって、少なくとも１つの入口開口部及び対応する出口開口部は前記通路に対して角度を持って設けられ、前記アパーチャを通って流れる水は、当該釣り用ラインの少なくとも一部の周囲を回転することを特徴とするデバイス。
【請求項８】
請求項１に記載の釣り用ラインを隠すデバイスであって、前記アパーチャの各々は挿入可能なオリフィスを含むことを特徴とするデバイス。
【請求項９】
請求項８に記載の釣り用ラインを隠すデバイスであって、前記挿入可能なオリフィスの各々は、前記出口開口部に取り付けられていることを特徴とするデバイス。
【請求項１０】
請求項１に記載の釣り用ラインを隠すデバイスであって、前記ハウジングは鉄系金属から構成されていることを特徴とするデバイス。
【請求項１１】
請求項１に記載の釣り用ラインを隠すデバイスであって、前記ハウジングはプラスチックから構成されていることを特徴とするデバイス。
【請求項１２】
釣り用ラインを隠すデバイスであって、
リリース自在に釣り用ラインに取り付けられたハウジングを有し、前記ハウジングは
実質的に円形かつ連続した側面によって背面から隔てられたコニカル形状の前面を含み、前記前面から前記背面に伸びて中央に配置され、釣り用ラインを収容する大きさで形成された通路と、前記前面上の前記通路から第１の距離の位置に設けられ、前記背面上の前記通路から第２の距離の位置に設けられた出口開口部に流体連結された入口開口部を含む複数のアパーチャと、を有し、前記アパーチャの各々は、水が前記入口を通り抜けて前記出口から出ると気体状態の気泡を発生させる蒸気圧に達するように構成及び配置され、釣り用ラインは前記通路を通る挿入によって前記ハウジングに取り付けられ、前記ハウジングはトローリングスピードで水中を牽引され、水は前記アパーチャに強制的に通されて気泡を生成し、当該気泡は釣り用ラインの一部を隠すことに用いられることを特徴とするデバイス。
【請求項１３】
請求項１２に記載の釣り用ラインを隠すデバイスであって、前記通路は釣り用ラインと等しいか又は釣り用ラインよりも大なる直径を有することを特徴とするデバイス。
【請求項１４】
請求項１２に記載の釣り用ラインを隠すデバイスであって、前記第１の距離の各々は前記第２の距離と等しいことを特徴とするデバイス。
【請求項１５】
請求項１２に記載の釣り用ラインを隠すデバイスであって、前記第１の距離の各々は前記第２の距離と等しくないことを特徴とするデバイス。
【請求項１６】
請求項１２に記載の釣り用ラインを隠すデバイスであって、各々の前記入口開口部及び対応する出口開口部は前記通路に対して角度を持って設けられ、前記アパーチャを通って流れる水は、当該釣り用ラインの少なくとも一部の周囲を回転することを特徴とするデバイス。
【請求項１７】
請求項１に記載の釣り用ラインを隠すデバイスであって、前記アパーチャの各々は挿入可能なオリフィスを含むことを特徴とするデバイス。
【請求項１８】
請求項１７に記載の釣り用ラインを隠すデバイスであって、前記挿入可能なオリフィスの各々は、前記出口開口部に取り付けられていることを特徴とするデバイス。
【発明の詳細な説明】
【技術分野】
【０００１】
本願は、釣りの分野に関し、特に、気泡の流れを提供するデバイスであって、釣り用リーダラインの一部を隠す際に用いるものに関する。
【背景技術】
【０００２】
釣りは旧石器時代から行われている。その頃から魚は商業又は娯楽の目的で捕まえられていた。一般に認められている魚を捕まえる方法としてアングリングが挙げられる。アングリングでは、ロッド及びリールの組み合わせが釣り針（以下、フックと称する）を釣り用ライン（以下、単にラインとも称する）の先端につなぐことに用いられる。ロッド及びリールの組み合わせを用いることは一般的であり、無数のタイプのルアがラインの先端に取り付けられ、魚を誘って餌におびき寄せてきた。ルアは任意の形、サイズ又は材質であっても良く、全てのルアは魚を捕らえるためのフックを含んでいなければならない。多大なる注意が払われてフックが隠されても、ラインはルアに取り付けられていなければならず、魅力的なルアであるにも関わらず、魚をおびえさせて追い払い得る。現代では、釣り用ラインはナイロン、ポリエチレン、ポリエステル、モノフィラメント、マルチフィラメント、フルオロカーボン、ステンレススティールワイヤであっても良く、ごく少数ではあるが網目状のエレメントも挙げられる。得ようとする魚のタイプによって、ライン及び方法の最適条件が決まる。当該方法には例えば、トローリング、ディープドロップ、キャスティングなどがある。より大きい魚は、より大きい直径のラインを必要とし、当該ラインは水の中で容易に見つかる。トローリングに用いられるラインは、隠すことがより一層難しく、当該ラインはルアを引くことによる圧力に対応するのに十分大きくなければならない。トローリングは、遊泳している魚を捕まえるタイプの釣りである。トローリングは、沿岸又は沖合のいずれにおいても、様々な遠洋の遊泳魚や沿岸の海水魚を捕まえる最も生産的な方法である。残念ながら、容易に魚に見つかるラインを使用することで、多くの機会が失われている。
【０００３】
トローリングに要求される釣り用ラインは、受け身の漁法（passive fishing）に用いられるものよりも一般的に大きい。これは、標的とする魚の大きさと、ルアを引くこと又は船の後ろの水中で餌におびきよせることでラインにかかる圧力との両方によるものである。トローリングは、高速、低速、シャロー又はディープ、の４つのカテゴリーに分類することができる。シャロートローリングとは餌の深さを指しており、水の深さのことではない。一般に、遠洋で行われ、水深は数百フィートでも良く、餌は文字通り水面にある。シャロートローリングは、主にカジキ、カマスサワラ又はシイラなどを探している釣り人に利用される。それらの魚には、バリフー、フライングフィッシュ、スモールボニートなどといった系統の疑似餌を与える。かかった魚の自然な脱走メカニズムは、ある程度の距離を水面に沿って文字通りスキップすることである。釣り用ライン又はリーダライン(すなわち、はりす)は十分に強くなければならず、遊泳魚がラインを噛み切ること又は尾部によるキックを防がなければならない。その結果、ラインのサイズは魚をおびえさせて追い払うほどに大きくなる。疑似餌のトローリングは、ライン及びルアをさらに目立たせるであろう。トローリングボートのスピードによっても異なるであろう。遅いトローリングスピードでは、船が船の後ろに疑似餌を牽引するスピードが３乃至６ノットで変動する。速いトローリングスピードでは、船が船の後ろに疑似餌を牽引するスピードは６乃至１２ノットで変動する。多くの場合釣り人は、釣りをしている間にライン（釣り糸）のサイズを変更するような贅沢をせず、フックのサイズを疑似餌に合わせる必要がある。このような理由から、スポーツフィッシングの釣り人は、予め装備されたリーダを、テスト強度、サイズ及び材質の異なるリーダを含む５／０から９／０のフックとともに持ち運ぶであろう。しかしながら当該釣り人は、数百ヤードの長さのあるライン（釣り糸）を単純に交換することはできないであろう。従って釣り人は、釣り糸を発覚が最小限になるサイズとし、サイズの異なるリーダラインに頼って魚が釣り糸もリーダラインも見つけないことを願うであろう。
【０００４】
例えば、カマスサワラは剃刀のように鋭い歯を有する遊泳魚である。カマスサワラ及びシイラ（マヒマヒ又はドラドとしても知られている）は、ラインに50mph以上で衝突するため強い釣り糸が必要であり、そのような釣り糸は魚にとってより見えやすくなる。釣り人は、全体がステンレススチールのラインを持っていれば良いが、より多くの場合、モノフィラメント製の釣り糸を、ステンレススチール製又はモノフィラメント製の８０ｌｂ.テスト以上のリーダラインと共に使用する。この例において、釣り糸は３０ｌｂ.の等級であっても良く、リーダは８０ｌｂ.テストであっても良い。得ようとする魚又は採用された疑似餌の種類に関わらず、当該釣り用リーダラインには魚に見つかるという問題がある。特に懸念されるのはルアへのアタッチメントであり、当該アタッチメントは魚から見られ得る目立つ接続をなす。
【０００５】
この技術分野で必要とされているのは、トローリングの際に釣り用ラインの一部をカムフラージュすることを補助するデバイスであり、特に、リーダラインとルアとの接続を隠すことを補助するデバイスである。
【発明の概要】
【課題を解決するための手段】
【０００６】
開示されているのは、釣り用ラインを隠すデバイスであり、水をせん断して（shearing water）釣り用ラインに沿って気泡の軌跡を発生させることができるデバイスである。当該デバイスは好ましくはリーダラインの始まり又は釣り糸とルアとが連結される箇所に搭載される。当該隠すデバイスはトローリングのスピードで水中を牽引され、当該デバイス内に一方向に設けられたアパーチャ（開口部）によって水のせん断(water shear)が生じ、当該アパーチャは当該水のせん断から気泡の流れが生じるように構成及び配置されている。当該気泡の流れは釣り用ラインの長さに沿って、気泡が消えるまで流れる。その結果、当該ラインをカムフラージュする気泡の流れとなる。
【０００７】
本発明の目的は、釣り用ラインの長さに沿って気泡の軌跡を生じることができる釣り用ラインを隠すデバイスを提供することである。
【０００８】
本発明の他の目的は、釣り糸とリーダラインとの接続箇所に設けることができ、当該接続箇所を隠すことを補助する釣り用ラインを隠すデバイスを提供することである。
【０００９】
本発明の他の目的は、釣り糸とルアとの接続箇所に設けることができ、当該接続部及び／又はフックを隠すことを補助する釣り用ラインを隠すデバイスを提供することである。
【００１０】
本発明の他の目的は、３ノットから６ノット内で変動する一般的なルアの低速のトローリングのスピードで作用する釣り用ライン隠しデバイスを提供することである。
【００１１】
本発明の他の目的は、６ノットから１２ノット内で変動する一般的なルアの高速のトローリングのスピードで作用する釣り用ライン隠しデバイスを提供することである。
【００１２】
本発明の他の目的、効果及び利益は、添付の図面と共に示す以下の記載から明らかとなるであろう。当該記載は、説明及び例示によって本発明のいつくかの実施例を示したものである。
【図面の簡単な説明】
【００１３】
【図１】本発明の斜視図である。
【図２】図１のＡＡに沿った断面図である。
【図３】本発明の模式図である。
【図４】埋め込まれたオリフィスを有する実施例の側面図である。
【図５】角度のついたアパーチャを有する実施例の上面図である。
【発明を実施するための形態】
【００１４】
本発明について添付の図面を参照してより詳しく述べる。当該図面には、本発明の代替の実施例が示されている。本発明は様々な態様で実施することができ、本明細書の以下に示された実施例に限定されるものではない。むしろ、これらの実施例が提供されることで、この開示が完全となり、本発明の範囲を当業者に伝えるであろう。
【００１５】
図を参照すると、釣り用ラインを隠すデバイスが示されており、当該デバイスはアパーチャ及び／又はオリフィスを用いて水を切ることができる。当該アパーチャ及び／又はオリフィスは、ハウジング１０を通る水を、気体となり気泡を発生するまで圧縮することができる。これによってハウジング１０の後ろにある釣り用ラインが隠れる。図１及び図２を参照すると、前面１２、側面１４及び背面１６を有するハウジング１０が示されている。中央に設けられている通路１８は、釣り用ラインが入る大きさである。通路１８の周りに配されているのは、一連の水流通過アパーチャであり、２０、２２、２４及び２６の番号を付して表されている。アパーチャの各々は、ハウジング１０の前面１２に沿って位置する入口開口部を水が通って流れるように構成及び配置されている。そして、当該水は出口開口部を通って制御された速度でアパーチャから出る。当該速度は当該水に蒸気圧を生じさせ、当該水は気体の状態となる。図２に示すように、アパーチャ２０は、入口開口部２７及び出口開口部２８を有する。入口開口部２７を通る水流は、アパーチャ２０のチャネル３０を強制的に通過する。当該アパーチャを通過する際の静圧の変化によって水蒸気のキャビティが水中で生成される。これは圧力の急速な変化の結果であり、キャビティの生成によって引き起こされる。その結果、トローリングスピードにおいて各々のアパーチャを通って気泡の流れがつくられる。当該スピードは３から６ノットの範囲のスロートローリングのスピードである。より大きいアパーチャによって、６から１２ノットのトローリングスピードで気泡を発生させることができる。
【００１６】
当該ハウジングは、アパーチャを設けることができる任意の材料から作られ得る。当該アパーチャの大きさは、アパーチャを通る流速が上述したような蒸気圧を生じる大きさであり得る。少なくとも１つのアパーチャが必要であるが、図１に表されたような多数のアパーチャが用いられて好ましい実施形態を提供している。当該実施形態は、水がハウジングを通り抜ける際にハウジングにかかる圧力のバランスを制御することでなされる。通路の周りの複数のアパーチャの配置によって同じか又は別の方法で流速のバランスをとることで、ハウジングは水中を正確に進む。
【００１７】
ハウジング１０は、コニカル形状（円錐形状）の上面１２と円筒形の本体とを含むことが好ましい。通路１８は釣り用ラインが通って特定の利点が得られるサイズで設けられている。リーダラインアタッチメントよりも前に設けられる場合について図３に示されている。リーダラインアタッチメントは、通常、スイベル１００を含み、釣り糸１０２はロッドとリール（図示せず）から導かれてスイベル１００に終端されている。当該スイベルは、ビミニツイスト１０６又は同様のノットによってリーダライン１０４に接続されている。リーダライン１０４の近位端部はスイベル１００又はスナップフック（図示せず）に取り付けられ、遠位端部はフック１０８又は他のタイプのルアにラインノット１１０によって取り付けられている。当該デバイスはハウジング１０をリーダラインよりも前に設けており、図示されるように、通路１８に隣接したアパーチャ２０及び２２を有し、当該アパーチャは出口開口部２８及び３２を有している。これによって、バブルフォーメーション１１２が形成されて釣り用ラインを隠す。さらに、水の中で煙を出してトローリングをすることとして知られている釣りの体験を気泡の軌跡を残すことによってできる。
【００１８】
アパーチャの各々は、通り抜ける水の中で水蒸気のキャビティが生成するような静圧を生じるように構成及び配置されている。当該キャビティは、急速な圧力の変化によるものであり、圧力が低くなった場合にキャビティの生成が引き起こされる。当該水がより高い圧力にさらされると、当該水蒸気のキャビティによって生成したボイド（気孔、気泡）が破裂する。流体は強制的にアパーチャを通され、流路が狭まる。当該流路の狭まりは、アパーチャの形状又はアパーチャ内に含まれるオリフィスのいずれによってもなされる。水の流速が増大すると、乱流が強くなり、極めて小さいキャビテーションの核が生成される。これらの核は直ちに成長し、核が生成する領域から下流へ流れて気泡の群（雲）となる。動いている本体から遠く離れると、当該圧力条件はもはや気泡が成長しない条件となり、最後に崩壊する。これによって上述したキャビティの破裂が生じる。当該気泡の成長及び崩壊の雲の視覚的効果によって、釣り糸が隠される。当該デバイスがリーダラインの最初に設けられている場合、当該気泡はリーダラインの長さに沿って追従し、リーダラインを隠す。
【００１９】
当該ハウジングはプラスチック又は金属から作られ得る。いずれの場合もキャビテーションの核の生成による気泡が成長する程度に小さく形成されたアパーチャを含んで構成され得る。さらに、当該ハウジングはオリフィスインサート６８又は７０を受け止める材料から構成されていても良い。当該オリフィスインサートは上記したアパーチャと同様に作用する。しかしながら当該オリフィスは、水のせん断を作り出すようなサイズのアパーチャが特に形成されていなくても、キャビテーションの核を生成させることができる。図４を参照すると、示されたハウジングは、精密なアパーチャの形成が可能ではない材料、例えば鉛又はこれに代わる材料から作られている。高密度の金属は、一般的に重りを追加することなくラインに重量を加える際に用いられ、ある一定のトローリングスピードにおいて、リーダラインを水面から離れた下方に維持する際に有効である。この実施例において、ハウジング６０は通路６２及び図示されたアパーチャ６４及び６６を有する。アパーチャ６４は、アパーチャ６４に埋め込まれたオリフィス６８を含む。オリフィス６８は、ハウジングの形成段階おいてハウジングの形成途中に埋め込まれても良く、又はハウジング６０の形成後に挿入されても良い。いずれの場合においてもアパーチャは十分に大きく形成され、当該アパーチャ内にオリフィスを挿入することができる。同様に、アパーチャ６６に設けられたオリフィス７０が示されている。当該オリフィスは、プラスチック、ステンレススチール又は他の、成型可能な材料から作られても良く、水中を牽引される際に気泡を生成するサイズで形成され得る。
【００２０】
図５は他の実施例であり、釣り糸が通る中央の通路８２を有するハウジング８０が表わされている。この実施例においてアパーチャ８４は、出口開口部８８に対して角度をもって配置された入口開口部８６を有している。当該アパーチャの曲がり又は角度は、気泡がハウジングから出る際に渦を巻く効果を生じる。アパーチャ９０は、出口開口部９４に対して角度をもって設けられた入口開口部９２を有し、当該出口開口部はハウジングの底部に配置されている。アパーチャ９６は、出口開口部１２０から隔てられた入口開口部９８を有している。アパーチャ１２２は、出口開口部１２６に対して角度をもって設けられた入口開口部１２４を含んでいる。
【００２１】
ハウジングの実際の直径は、任意の大きさに形成され得るが、小さい直径が好ましく、ハウジング１０の前面が水中を牽引される際に、釣り用ラインにかかる圧力を低減する。当該前面は代替的実施例においてハウジング６０及び８０にも示されている。さらにコニカル形状の前面１２は海藻やその他のデブリがスイベルに隣接するリーダラインのアタッチメントに引っかからないように逸らせる。多くのタイプのトローリング用疑似餌はフックの近くに接続され、当該前面に湾曲を追加することで、当該疑似餌が海のデブリによって汚れないように維持することを補助する。ハウジングの深さはアパーチャを支持できれば良く、当該支持は深さに対して計算された直径によってなされ、上述した気泡発生（バブリング）効果を生じる。さらに、当該アパーチャは多様なサイズで形成されても良く、気泡の連続的な流れか又は断続的なバブリングのいずれも生じることができる。これらの効果は同等である。
【００２２】
本発明のいくつかの形態が示されているが、本発明は、本明細書に記載及び図示されている特定の形態又は構成に限定されるべきではない。本発明の範囲から逸脱すること無く様々な変更がなされ得ることは、当業者にとって明白であろう。本発明は、本明細書及び本明細書に含まれる図面に図示及び記載されているものに限定されると考えられるべきではない。
【００２３】
当業者は、本発明が目的を達成し、上記したような結果及び効果並びに内在する結果及び効果を得ることができることを容易に理解するであろう。本明細書に記載された実施例、方法、手順及び技術は、出願時点での好ましい実施例であり、例示的なものであり、本発明の範囲を限定するものではない。当業者が想到し得るであろう変形及び他の用途は、本発明の精神に包含され、特許請求の範囲によって画定される。本発明は、特定の好ましい実施例に関連して記載されているが、特許請求の範囲に記載されている本発明はこのような特定の実施例に不当に限定されるべきではない。本発明を実施するための開示された態様の様々な変形であって、当業者にとって明白なものは、特許請求の範囲内のものである。
【図１】
2017515463.tif 000003
【図２】
2017515463.tif 000004
【図３】
2017515463.tif 000005
【図４】
2017515463.tif 000006
【図５】
2017515463.tif 000007
【国際調査報告】
2017515463.tif 000008
2017515463.tif 000009
2017515463.tif 000010